(57)【要約】【課題】  電波によって通信を行う携帯端末の電源を強制的にかつ自動的に、人体および他の電子機器に影響のない音声に埋め込まれた信号により制御する。【解決手段】  音声信号埋め込み装置１００は、音楽または音声などの音情報に対して特定の周波数をカットすることで可聴帯域に非可聴の電源オン又は電源オフ情報を埋め込む。音声出力装置２００は、電源オン又は電源オフエリアにおいて、それぞれ電源オン又は電源オフ情報が埋め込まれた音声を出力する。携帯端末３００は、電源オン又は電源オフエリアに進入し在圏して電源オン又はオフ情報の埋め込まれた音声をマイク部３１０により受信し、復号化装置部３２０により埋め込み情報を検出した場合は、自動電源装置部３３０が携帯端末３００の電源をオン又はオフする。【選択図】図１
2006211624.tif 000002
【特許請求の範囲】
【請求項１】
電源制御情報は、音声の可聴周波数領域に非可聴情報として埋め込まれることを特徴とする電源制御システム。
【請求項２】
電波によって通信を行う携帯端末と、前記携帯端末の電源のオン又はオフを指示するための電源制御情報を音声に埋め込む音声信号埋め込み装置と、前記携帯端末の電源オン又はオフを実施する空間に対して、前記音声信号埋め込み装置からの音声を出力する音声出力装置と、前記携帯端末に付属し、前記音声出力装置からの音声を受信するマイク部と、前記携帯端末に付属し、前記マイク部からの音声に含まれる前記電源制御情報を復号化する復号化装置部と、前記携帯端末に付属し、前記複合化装置部により複合化された前記電源制御情報によって電源のオン又はオフを自動的に行う自動電源制御部を有し、前記電源制御情報の音声への埋め込みを、音声の一つ以上の周波数領域をカットすることで実現し、前記電源制御情報の有無は、音声の一つ以上の周波数領域のエネルギーが周辺部のエネルギーに対してある閾値よりも小さいことで判定する携帯端末の自動電源制御システム。
【発明の詳細な説明】
【技術分野】
【０００１】  本発明は携帯端末の自動電源制御システムに関し、電波によって通信を行う携帯端末システムを、ある特定の場所に限り、人間の手を用いることなく、人体に影響のない音声に埋め込まれた信号により、電源のオン又はオフを行う自動電源制御システムに関する。
【背景技術】
【０００２】  従来の電波によって通信を行う携帯端末システムでは、携帯端末から発せられる電波により他の電子機器に与える悪影響に対処が不十分であり、既に提案されている自動オンオフシステムも電波を用いている点でオンとオフの制御信号の電波により他の電子機器や人体に対し影響を与える。【０００３】  他の電子機器や人体への影響が少ない音声に埋め込まれた情報による携帯端末の自動電源制御システムは制御情報が可聴となるため実用化には至らなかった。
【発明の開示】
【発明が解決しようとする課題】
【０００４】  携帯端末から発せられる電波が他の電子機器や人体に与える影響について危険視されているが、いまだに人体への影響が少ない制御信号による自動電源制御装置が実用化されていないためである。【０００５】  本発明の目的は、特定の場所における他の電子機器や人体への悪影響の回避や、会議場等における利用制限を可能とするための、携帯端末の自動電源制御システムの提供である。
【課題を解決するための手段】
【０００６】  本発明の携帯端末の自動電源制御システムは、電波によって通信を行う携帯端末と、携帯端末の電源をオン又はオフにするための電源オン又は電源オフ情報を、音声または音楽の可聴帯域に非可聴の信号として埋め込む音声信号埋め込み装置と、電源オン又は電源オフエリアにおいて、前述の電源オン又は電源オフ情報が埋め込まれた音声を出力する音声出力装置と、前記携帯端末が電源オン又は電源オフ情報が埋め込まれた音声を受け取るマイク部と、前記携帯端末が情報の埋め込まれた音声または音楽から電源オン又は電源オフ情報を復号化する復号化装置部と、前記携帯端末が電源オン又はオフ情報によって電源のオン又はオフを自動的に行う自動電源制御手段を有することを特徴とする。【０００７】  さらに、本発明の携帯端末の自動電源制御システムは、前記電源オン又は電源オフ情報の音声への埋め込みを、音声の一つ以上の特定の周波数領域をカットすることで実現することを特徴とする。【０００８】  また、本発明の携帯端末の自動電源制御システムは、音声から前記電源オン又は電源オフ情報の有無を、音声の一つ以上の特定の周波数領域のエネルギーが周辺部のエネルギーに対してある閾値よりも小さいことで判定することを特徴とする。
【発明の効果】
【０００９】  以上説明したように、本発明においては下記に記載するような効果を奏する。【００１０】  本発明は、特定の環境において音声または音楽（例えばコンサートホール内でのアナウンス）に埋め込まれた情報によって携帯端末が自動的に電源制御するように構成されているため、人体や他の電子機器に影響を与えずに、電源の制御ができるという効果がある。【００１１】  本発明は、電源オンオフ情報を音声または音楽に埋め込むものであるが、特定の周波数領域をカットするという方法を用いるため、電源オンオフ情報の伝送媒体として用いる原音声または原音楽の内容を限定しないという効果がある。【００１２】  また、本発明は、携帯端末自らが電源をオフするように構成されているので、着信音の迷惑となる場所（例えばコンサートホール内、映画館内等）で着信することを不可能とし、他者への迷惑を抑止することが出来る。【００１３】  さらに、本発明は、携帯端末自らが電源をオフするように構成されているので、携帯端末の発生する電波が人体や他の電子機器に影響を与える危険性のある場所（例えば列車内、飛行機内、病院内等）で携帯端末の通信を不可能とし、他者への迷惑を抑止することが出来る。【００１４】  また、本発明は、携帯端末自らが電源をオンするように構成されているので、着信音が気になる場所から、気にならない場所に移動する途中の場所（例えばコンサートホール、映画館の出口）において携帯端末の電源を自動的にオン状態へすることが出来る。【００１５】  また、本発明は、携帯端末自らが電源をオンするように構成されているので、携帯端末の発生する電波が人体や他の電子機器に影響を与える危険性のある場所から、危険性のない場所へ移動する途中の場所（例えば駅の改札、飛行機の出口、病院出口）において携帯端末の電源を自動的にオン状態へすることが出来る。
【発明を実施するための最良の形態】
【００１６】  次に、本発明の実施の形態について図面を参照して詳細に説明する。【００１７】  図１は、本発明の実施形態の構成ブロック図で、図２は音声信号埋め込み装置の構成ブロック図で、図３は音声出力装置の構成ブロック図で、図４はマイク部と復号化装置部を備えた携帯端末の構成ブロック図で、図５は復号化装置部の動作のフローチャートである。【００１８】  図１を参照して、本発明の実施形態は、音声信号埋め込み装置１００と、音声出力装置２００と、携帯端末３００とを有して構成される。【００１９】  音声信号埋め込み装置１００は、図２に示すように、周波数領域変換部１１０と電源情報埋め込み部１２０と時系列情報変換部１３０とを有して構成される。【００２０】  周波数領域変換部１１０は、図２に示すように、マイクからの音声やテープ等の録音音声の時系列電気信号を、高速フーリエ変換（ＦＦＴ）、変形離散余弦変換（ＭＤＣＴ）などのデジタル変換によって、スペクトル信号へ変換する。【００２１】  電源情報埋め込み部１２０は、図２に示すように、電源オンまたはオフに対応する特定の周波数領域（鍵領域１または２）を図６の周波数フィルタにより除去することで、電源オンまたは電源オフの情報を埋め込む。【００２２】  音声スペクトログラムの一例である図９は、電源オンまたはオフに対応する特定の周波数領域（鍵領域１または２）を図６の周波数応答により除去することで、図１０のような情報を埋め込まれた音声信号に変化する。【００２３】  時系列情報変換部１３０では、図２に示すように、スペクトル情報を、逆高速フーリエ変換（逆ＦＦＴ）、逆変形離散余弦変換（逆ＭＤＣＴ）などによって、時系列電気信号に変換する。【００２４】  音声波形の一例である図７は、図１０のような情報を埋め込まれた音声信号を、逆高速フーリエ変換（逆ＦＦＴ）、逆変形離散余弦変換（逆ＭＤＣＴ）などによって、時系列電気信号に変換することで、図８のような情報を埋め込まれた音声信号に変換される。【００２５】  音声出力装置２００では、図３に示すように、音声信号埋め込み装置１００によって生成された電源情報が埋め込まれた時系列電気信号を受け取り、スピーカーによって音声信号に変換したものを電源オンまたは電源オフエリアに放送する。【００２６】  携帯端末３００は、図４に示すように、マイク部３１０と、復号化装置部３２０と、自動電源制御部３３０を有して構成される。【００２７】  マイク部３１０は、定期的に周囲の音声信号を時系列電気信号に変換し、復号化装置部へ伝える。【００２８】  復号化装置部３２０は、マイク部３１０から伝えられた時系列電気信号を変換し、高速フーリエ変換（ＦＦＴ）、変形離散余弦変換（ＭＤＣＴ）のデジタル変換や、フィルタ素子によって、スペクトル信号へ変換する。【００２９】  さらに、復号化装置部３２０は、変換したスペクトルを自動的に解析し、電源オンに対応する特定の周波数領域（鍵領域１）のエネルギーが周辺部に対してある閾値よりも小さく、電源オフに対応する特定の周波数領域（鍵領域２）のエネルギーが周辺部に対してある閾値よりも小さくない場合には、電源オンエリアにあると判定する。【００３０】  さらに、復号化装置部３２０は、変換したスペクトルを自動的に解析し、電源オンに対応する特定の周波数領域（鍵領域１）のエネルギーが周辺部に対してある閾値よりも小さく、電源オフに対応する特定の周波数領域（鍵領域２）のエネルギーが周辺部に対してある閾値よりも小さくない場合には、電源オンエリアにあると判定する。【００３１】  また、復号化装置部３２０は、変換したスペクトルを自動的に解析し、電源オフに対応する特定の周波数領域（鍵領域２）のエネルギーが周辺部に対してある閾値よりも小さく、電源オンに対応する特定の周波数領域（鍵領域１）のエネルギーが周辺部に対してある閾値よりも小さくない場合には、電源オフエリアにあると判定する。【００３２】  さらに、復号化装置部３２０は、変換したスペクトルを自動的に解析し、電源オン及び電源オフに対応する特定の周波数領域（鍵領域１及び２）のエネルギーが、共に周辺部に対して閾値よりも小さくない場合には、電源オン及びオフエリアに無いと判定する。【００３３】  自動電源制御部３３０は、携帯端末３００が復号化装置部３２０により電源オンまたは電源オフのエリア内にあると判定された場合には、それぞれのエリアに対応して、音または光または振動により電源操作の報知を行う。【００３４】  自動電源制御部３３０は、携帯端末３００が復号化装置部３２０により電源オンまたは電源オフのエリア内にあると判定された場合には、復号化装置部３２０の判定に従って、携帯端末３００の電源オンまたは電源オフの処理を行う。
【図面の簡単な説明】
【図１】本発明の実施形態の構成ブロック図である。
【図２】電源オンオフ情報埋め込み装置の構成ブロック図である。
【図３】音声出力装置の構成ブロック図である。
【図４】マイク部と復号化装置部を備えた携帯端末の構成ブロック図である。
【図５】復号化装置部の動作のフローチャートである。
【図６】電源オンオフ情報を埋め込むための周波数除去を表す周波数応答である。
【図７】電源オンオフ情報埋め込み前の音声波形の一例であり、縦軸は音圧である。
【図８】電源オンオフ情報埋め込み後の音声波形の一例であり、縦軸は音圧である。
【図９】電源オンオフ情報埋め込み前の音声スペクトログラムの一例である。
【図１０】電源オンオフ情報埋め込み後の音声スペクトログラムの一例である。
【符号の説明】
１００  音声信号埋め込み装置
１１０  周波数領域変換部
１２０  電源情報埋め込み部
１３０  時系列情報変換部
２００  音声出力装置
３００  携帯端末
３１０  マイク部
３２０  復号化装置部
３３０  自動電源制御部
【図１】
2006211624.tif 000003
【図２】
2006211624.tif 000004
【図３】
2006211624.tif 000005
【図４】
2006211624.tif 000006
【図５】
2006211624.tif 000007
【図６】
2006211624.tif 000008
【図７】
2006211624.tif 000009
【図８】
2006211624.tif 000010
【図９】
2006211624.tif 000011
【図１０】
2006211624.tif 000012